(57)【要約】【課題】他のカードと共に財布等に収容された場合にも、迷うことなく容易に識別して取り出すことのできるカードを提供すること。【解決手段】蓄光材料を含み、厚さ５０μｍ以上の蓄光材料層１２をカード基材１１に積層してカード１を構成し、かつ、この蓄光材料層の端面をカード端面に露出する。蓄光材料層がカード端面に露出しているため、他のカードと共に財布等に収容された場合であって、目的とするカードを暗所で取り出す場合にも、その端面からの発光を観察することができ、他のカードと識別して容易に取り出すことが可能となる。【選択図】図１
2016198927.tif 000002
【特許請求の範囲】
【請求項１】
カード端面に蓄光材料を配置したことを特徴とするカード。
【請求項２】
蓄光材料を含み、厚さ５０μｍ以上の蓄光材料層をカード基材に積層して構成され、この蓄光材料層の端面をカード端面に露出したことを特徴とするカード。
【請求項３】
前記蓄光材料層の上に印刷層を有し、かつ、この印刷層の上に透明保護層を有することを特徴とする請求項２に記載のカード。
【請求項４】
コアシートとカバーシートとを積層してカード基材とすると共に、蓄光材料を含み、厚さ５０μｍ以上の蓄光材料層をコアシートとカバーシートとの間に配置し、かつ、この蓄光材料層の端面をカード端面に露出したことを特徴とするカード。
【請求項５】
前記蓄光材料層とカバーシートとの間の位置、またはカバーシートの上の位置に印刷層を有することを特徴とする請求項４に記載のカード。
【請求項６】
蓄光材料を含む蓄光インキをカード端面に塗布したことを特徴とするカード。
【請求項７】
磁気情報記録層を有することを特徴とする請求項１〜６のいずれかに記載のカード。
【発明の詳細な説明】
【技術分野】
【０００１】
本発明はカードに関するもので、他のカードと共に財布等に収容された場合にも、迷うことなく容易に識別して取り出すことのできるカードに関する。
【背景技術】
【０００２】
カードには、磁気情報記録層を有する磁気カード、ＩＣチップを内蔵したＩＣカード、あるいはこれらの非可視記録を持たないカード等、多種類のカードが知られている。例えば、特許文献１はＩＣカードに関するものである。そして、これらカードは、身分証明カード、銀行用カード、クレジットカード、プリペイドカード等として、極めて多種類の用途に用いられている。このため、一般に、これら多種類のカードを重ねてカード入れや財布等に収容して携帯することが通常である。
【０００３】
ところで、このように多数枚のカードを重ねてカード入れ等に収容した状態では、カード端面が見えるに過ぎず、このため、目的とするカードを取り出す場合に迷うことがあった。
【０００４】
特に周囲が暗い暗所にて特定のカードを取り出す場合には、多数枚のカードから一枚一枚を取り出して、個別にカードを改める必要があることが少なくなかった。
【先行技術文献】
【特許文献】
【０００５】
【特許文献１】特開２００２−４２０６８号公報
【発明の概要】
【発明が解決しようとする課題】
【０００６】
そこで、本発明は、他のカードと共に財布等に収容された場合にも、迷うことなく容易に識別して取り出すことのできるカードを提供することを目的とする。本発明のカードは、暗所にて取り出す場合にも、他のカードと混同することなく、容易に選別することができる。
【課題を解決するための手段】
【０００７】
すなわち、請求項１に記載の発明は、カード端面に蓄光材料を配置したことを特徴とするカードである。
【０００８】
次に、請求項２に記載の発明は、蓄光材料を含み、厚さ５０μｍ以上の蓄光材料層をカード基材に積層して構成され、この蓄光材料層の端面をカード端面に露出したことを特徴とするカードである。
【０００９】
また、請求項３に記載の発明は、前記蓄光材料層の上に印刷層を有し、かつ、この印刷層の上に透明保護層を有することを特徴とする請求項２に記載のカードである。
【００１０】
また、請求項４に記載の発明は、コアシートとカバーシートとを積層してカード基材とすると共に、蓄光材料を含み、厚さ５０μｍ以上の蓄光材料層をコアシートとカバーシートとの間に配置し、かつ、この蓄光材料層の端面をカード端面に露出したことを特徴とするカードである。
【００１１】
また、請求項５に記載の発明は、前記蓄光材料層とカバーシートとの間の位置、または
カバーシートの上の位置に印刷層を有することを特徴とする請求項４に記載のカードである。
【００１２】
また、請求項６に記載の発明は、蓄光材料を含む蓄光インキをカード端面に塗布したことを特徴とするカードである。
【００１３】
また、請求項７に記載の発明は、磁気情報記録層を有することを特徴とする請求項１〜６のいずれかに記載のカードである。
【発明の効果】
【００１４】
蓄光材料は光エネルギー等のエネルギーを供給することによって発光し、しかも、エネルギーの供給を停止した後も長期間に渡って発光を続ける材料である。本発明のカードは、この発光材料を使用しているため、カード入れや財布等に収容して光エネルギーの供給が停止された後にも、長期間に渡って発光し続ける。そして、本発明のカードは、この蓄光材料をカード端面に配置したため、暗所にてカード入れや財布を開いたときにも、他のカードと異なり、その端面が発光する。このため、多数枚のカードの中から、本発明のカードを容易に識別して取り出すことができるのである。
【００１５】
なお、請求項２，４，６に記載のように、蓄光材料をカード端面に配置する手段として種々の手段を採用できる。請求項２，４に記載のカードは厚みのある蓄光材料層をカード端面に露出することにより蓄光材料をカード端面に配置したカードである。このカードにおいては蓄光材料層がカード端面に露出しているため、他のカードと共に財布等に収容された場合であって、目的とするカードを暗所で取り出す場合にも、その端面からの発光を観察することができ、他のカードと識別して容易に取り出すことが可能となる。
【００１６】
また、請求項６に記載のカードは蓄光インキをカード端面に塗布することにより蓄光材料をカード端面に配置したカードである。このカードにおいても蓄光インキの皮膜がカード端面に露出しているため、その端面からの発光を観察することができ、他のカードと識別して容易に取り出すことが可能となる。
【図面の簡単な説明】
【００１７】
【図１】本発明の第１の具体例に係り、図１（ａ）はその平面図、図１（ｂ）は断面説明図である。
【図２】本発明の第２の具体例に係る断面説明図である。
【図３】本発明の第２の具体例に係る断面説明図である。
【発明を実施するための形態】
【００１８】
本発明は各種印刷画像を施したカード１に関するものである。このようなカードは、身分証明カード、銀行用カード、クレジットカード、プリペイドカード等として使用されている。図面の図１は本発明のカードの第１の例を示すもので、図１（ａ）はその平面図、図１（ｂ）は断面説明図である。
【００１９】
そして、本発明のカード１は、その端面に蓄光材料を配置して構成されたものである。前述のように、蓄光材料をカード端面に配置する手段には様々な手段があるが、図１の例は厚みのある蓄光材料層を使用し、これをカード端面に露出することによって、蓄光材料をカード端面に配置したものである。
【００２０】
すなわち、この例は、図１（ｂ）の断面説明図に示すように、単層のカード基材１１の表面に蓄光材料層１２を積層し、さらに印刷画像１３を介して表面保護層１４を積層して構成されている。なお、カード基材１１の裏面には、印刷層１５、裏面保護層１６、磁気
記録層１７がこの順に積層されており、磁気記録層１７はカード１裏面に露出している。
【００２１】
カード基材１１は任意のシートでよい。例えば、紙である。また、プラスチックシートをカード基材１１として使用することもできる。例えば、非結晶性ポリエステルシート、ポリ乳酸系樹脂シート、ポリ塩化ビニルシート、ポリプロピレンシート、ポリエチレンシート、アクリル樹脂シート、ポリスチレン樹脂シート、ポリカーボネートシート、ＡＢＳ樹脂シート等である。カード基材１１は透明であってもよいし、不透明であってもよいが、透明であることが望ましい。カード基材１１が透明な場合には、蓄光材料層１２のうちカード１の端面に露出した部位からの発光だけでなく、このカード１端面の内側に位置する部位からの発光も観察できるため、カードの識別が一層容易となる。
【００２２】
蓄光材料層１２はカード基材１１の全面又は部分的に積層すればよいが、カード端面からこの蓄光材料層１２が観察できるように、カード端面に露出して積層されている必要がある。また、この蓄光材料層１２の発光が観察できるように、その厚さが５０μｍ以上であることを必要とする。７６０μｍ以下でよい。なお、望ましくは１００〜４００μｍである。
【００２３】
この蓄光材料層１２は、蓄光性顔料を樹脂に混合してフィルム状に成形し、こうして得られた蓄光性フィルムをカード基材１１に接着することで形成することができる。
【００２４】
蓄光性顔料は、光エネルギー等のエネルギーを供給することによって発光し、しかも、エネルギーの供給を停止した後も長期間に渡って発光を続ける顔料である。この蓄光性顔料は公知であるが、化学式ＭＡｌ２Ｏ４（但し、Ｍは金属元素）で表せる化合物を母結晶としてこれに微量の不純物を含有させたものを代表例として例示できる。不純物の種類によって発光の色彩が異なり、例えば、ＺｎＳ：Ｃｕを不純物として含有させた蓄光性顔料は緑色に発光し、ＣａＳｒＳ：Ｂｉを含有させた蓄光性顔料は青色に発光する。なお、ＳｒＡｌ２Ｏ４を母結晶として使用した粒径１２〜２０μｍの蓄光性顔料は（株）ネモト・ルミマテリアルから「Ｎ発光（Lumi  Nova）」の名称で市販されている。
【００２５】
この蓄光性顔料と混合する樹脂としては、アクリル樹脂、塩化ビニル−酢酸ビニル共重合体、ポリエステル樹脂、ウレタン樹脂、エポキシ樹脂等を使用することができる。熱可塑性樹脂のほか、熱硬化性樹脂、紫外線硬化樹脂、電子線硬化樹脂であってもよい。望ましくは透明性に優れた樹脂である。
【００２６】
蓄光性顔料は、これら樹脂１００重量部に対して５〜５０重量部混合することが望ましい。蓄光性顔料の量が少ないと十分な発光が生じない。また、多いと蓄光材料層１１２の強度が低下する。望ましくは、樹脂１００重量部に対して蓄光性顔料が１０〜３０重量部である。
【００２７】
そして、これら樹脂と蓄光性顔料との混合物を使用して、溶融押出し成形法、射出成形法等の方法で蓄光性フィルムを成形することができる。そして、接着剤を使用してこの蓄光性フィルムをカード基材１１に接着することにより、蓄光材料層１２を形成することが可能である。
【００２８】
印刷画像１３は、図１（ａ）に示すように、カードの種類（身分証明カード，銀行カード等）に関する情報、カード発行者に関する共通情報、カード所有者に関する個別情報等を示すものである。このほか、地紋や細紋等を印刷してもよい。この印刷画像１１３を形成する方法も公知である。例えば、グラビア印刷、インキジェット印刷、転写印刷等で形成することができる。なお、図１（ｂ）に示すように、蓄光材料層１２と表面保護層１４との間にこれら印刷画像１３を形成してもよいが、表面保護層１４の外面側に印刷画像１
３を形成することも可能である。また、カード所有者に関する個別情報を除き、その他の情報、すなわち、カードの種類に関する情報、カード発行者に関する共通情報、地紋や細紋等を蓄光材料層１２と表面保護層１４との間に印刷し、カード所有者に関する個別情報を表面保護層１４の外面側に印刷することもできる。
【００２９】
次に、表面保護層１４は透明樹脂を塗布することによって形成することができる。また、透明フィルムを張り合わせることによって形成することもできる。例えば、塩化ビニル樹脂、ポリエチレン樹脂、ポリプロピレン樹脂、アクリル樹脂、ポリエステル樹脂等である。
【００３０】
これら印刷画像１３と表面保護層１４とは、蓄光材料層１２上に順次積層することによって形成することもできるが、表面保護層１４として透明フィルムを使用し、この透明フィルムに印刷画像１３を印刷した後、印刷画像付きの透明フィルムを蓄光材料層１２上に積層することによって形成することも可能である。積層はいずれも接着剤を使用して行うことができる。
【００３１】
次に、カード基材１１の裏面側に形成する印刷層１５としては、例えば、カード１の利用方法に関する情報等を印刷することができる。印刷層１５は印刷画像１３と同様の印刷手段によって設けることが可能である。カード基材１１に直接印刷してもよいし、裏面保護層１７を透明フィルムで構成し、この透明フィルムに印刷した後カード基材１１に接着することで設けることもできる。また、裏面保護層１６は表面保護層１４と同様の材質、同様の形成方法で形成することが可能である。
【００３２】
次に、カード１の裏面に露出して積層する磁気記録層１７としては磁気テープを使用することができる。また、磁性塗料を塗布することによって磁気記録層１７を形成することもできる。
【００３３】
次に、図２は本発明のカードの別の例を示す断面説明図で、このカード２はコアシート２１の両面に表面側カバーシート２４、裏面側カバーシート２６を張り合わせた構造を有している。そして、コアシート２１と表面側カバーシート２４との間には、コアシート２１側から、順次、蓄光材料層２２、印刷画像２３が介在している。一方、コアシート２１と裏面側カバーシート２６との間には印刷層２５が介在しており、裏面側カバーシート２６の上には磁気記録層２７が積層されて、この磁気記録層２７がカード２裏面に露出している。コアシート２１としては、例えば、非結晶性ポリエステルシート、ポリ乳酸系樹脂シート、ポリ塩化ビニルシート等の熱可塑性樹脂シートを使用することができる。また、表面側カバーシート２４及び裏面側カバーシート２６としては、ポリ塩化ビニル、ポリ塩化ビニル−ポリ酢酸ビニル共重合体、ポリエチレン、ポリプロピレン、ポリエチレンテレフタレート、ポリ乳酸系樹脂、非結晶性ポリエステル等の材質から成るシートを使用することができる。これらコアシート２１、表面側カバーシート２４、及び裏面側カバーシート２６は不透明であってもよいが、これらのうちいずれかが透明なシートである場合には、蓄光材料層２２のうちカード２の端面に露出した部位からの発光だけでなく、このカード２端面の内側に位置する部位からの発光も観察できる。なお、この例において、その他は図１に示す第１の例と同様であり、例えば、蓄光材料層２２は、蓄光性顔料を含有する厚さ５０μｍ以上の蓄光性フィルムを、その端面がカード端面に露出するように積層することによって形成することができる。
【００３４】
次に、図３は本発明のカードの第３の例を示す断面説明図で、この例では、カード３端面に蓄光インキ皮膜３２が塗布されている。
【００３５】
なお、このカード３は、単層のカード基材３１の表面に印刷画像３３を介して表面保護
層３４を積層し、一方、カード基材１１の裏面に、印刷層３５、裏面保護層３６、磁気記録層３７を、この順に積層して構成したもので、これらカード基材３１、印刷画像３３、印刷層３５、裏面保護層３６、及び磁気記録層３７は図１に示す第１の例と同様である。
【００３６】
蓄光インキ皮膜３２は、前述の蓄光性顔料をインキ化して塗布したもので、インキのバインダーとしては、アクリル樹脂、塩化ビニル−酢酸ビニル共重合体、ポリエステル樹脂、ウレタン樹脂、エポキシ樹脂等を使用することができる。熱可塑性樹脂のほか、熱硬化性樹脂、紫外線硬化樹脂、電子線硬化樹脂であってもよい。望ましくは透明性に優れた樹脂である。
【００３７】
蓄光性顔料は、これらバインダー１００重量部に対して１０〜５０重量部混合することが望ましい。蓄光性顔料の量が少ないと十分な発光が生じない。また、多いと塗布が困難である。望ましくは、樹脂１００重量部に対して蓄光性顔料が１０〜３０重量部である。
【００３８】
蓄光インキは、例えば、シルクスクリーン印刷法、ＰＡＤ印刷法、ディスペンサーから吐出して塗布する方法等によって塗布することができる。蓄光インキ皮膜３２の厚みは１０〜１００μｍでよい。望ましくは３０〜５０μｍである。
【符号の説明】
【００３９】
１：カード    
１１：カード基材    
１２：蓄光材料層    
１３：印刷画像    
１４：表面保護層    
１５：印刷層    
１６：裏面保護層    
１７：磁気記録層
２：カード    
２１：コアシート    
２２：蓄光材料層    
２３：印刷画像    
２４：表面側カバーシート    
２５：印刷層    
２６：裏面側カバーシート    
２７：磁気記録層
３：カード    
３１：カード基材    
３２：蓄光インキ皮膜    
３３：印刷画像    
３４：表面保護層    
３５：印刷層    
３６：裏面保護層    
３７：磁気記録層
【図１】
2016198927.tif 000003
【図２】
2016198927.tif 000004
【図３】
2016198927.tif 000005